(57)【要約】【課題】取り扱いが容易であり、被検体に対して良好な装着感を感じさせることができる生体情報センサを提供すること。【解決手段】センサユニットであって、被検体の生体情報を検出する生体情報センサ（心電図センサ２４１、加速度センサ２４２、温度センサ２４３）が搭載された表面と、心電図電極６−１（６−２）が形成された裏面とを有し、少なくとも一部が可撓性の基板を用いて構成される。【選択図】      図２
2007167448.tif 000002
【特許請求の範囲】
【請求項１】
被検体の生体情報を検出する生体情報センサが搭載された第１の面と、前記生体情報センサの電極が形成された第２の面とを有し、少なくとも一部が可撓性の基板を用いて構成されたことを特徴とする生体情報センサユニット。
【請求項２】
前記生体情報センサは、前記被検体の心電図を検出する心電図センサと、前記被検体の動きを検出する加速度センサと、前記被検体の体表面の温度を検出する温度センサのうち少なくとも１つであり、前記生体情報センサの電極は心電図電極であることを特徴とする請求項１に記載の生体情報センサユニット。
【請求項３】
前記基板は、前記生体情報センサの電極を除いて、可撓性を有する樹脂からなる保護膜で覆われていることを特徴とする請求項１または２に記載の生体情報センサユニット。
【請求項４】
生体情報モニタシステムであって、被検体に装着されたセンサユニットと、このセンサユニットと通信可能に接続され、前記センサユニットからのセンサデータに基づいて前記被検体の生体情報をモニタするセンタ装置と、を具備し、
前記センサユニットは、
少なくとも被検体の生体情報を検出する生体情報センサと、前記生体情報センサにより取得された生体情報を送信する送信部とが搭載された第１の面と、前記生体情報センサの電極が形成された第２の面とを有し、少なくとも一部が可撓性の基板を用いて構成され、
前記センタ装置は、
前記センサユニットから送信された生体情報を受信する受信部と、
前記受信部を介して受信した生体情報に基づいて前記被検体の状況を判定する状況判定部と、
を具備することを特徴とする生体情報モニタシステム。
【請求項５】
前記センタ装置は、前記センサユニットの動作を制御するための制御信号を前記センサユニットに対して送信する送信部を有し、前記センサユニットを構成する基板の第１の面には、前記センタ装置からの制御信号を受信する受信部が搭載されていることを特徴とする請求項４記載の生体情報モニタシステム。
【請求項６】
生体情報モニタシステムであって、被検体の生体情報を検出する生体情報センサと、前記生体情報センサにより検出された生体情報を蓄積する生体情報蓄積部とが搭載された第１の面と、前記生体情報センサの電極が形成された第２の面とを有し、少なくとも一部が可撓性の基板を用いて構成されたセンサユニットと、
前記生体情報蓄積部から前記生体情報を読み出す読み出し部と、
前記読み出し部により読み出された前記生体情報に基づいて前記被検体の状況を判定する状況判定部と、を具備し、前記センサユニットとは別個に設けられたセンタ装置と、からなることを特徴とする生体情報モニタシステム。
【請求項７】
前記生体情報センサは、前記被検体の心電図を検出する心電図センサと、前記被検体の動きを検出する加速度センサと、前記被検体の体表面の温度を検出する温度センサのうち少なくとも１つであり、前記生体情報センサの電極は心電図電極であることを特徴とする請求項４から６のいずれか１つに記載の生体情報モニタシステム。
【請求項８】
前記基板は、前記生体情報センサの電極を除いて、可撓性を有する樹脂からなる保護膜で覆われていることを特徴とする請求項４から７のいずれか１つに記載の生体情報モニタシステム。
【発明の詳細な説明】
【技術分野】
【０００１】
本発明は、生体情報センサユニット及びそれを用いた生体情報モニタシステムに関する。
【背景技術】
【０００２】
従来、心電図の異常を判定する場合には、医師が、心電図センサにより取得した被検体の心電図データを被検体の通常時における心電図データと比較して両者の違いに基づいて心電図の異常を判断していた。
【０００３】
心電図データに基づく被検体のモニタリングについては例えば、「心電図のＡＢＣ」、1992年9月20日、「日本医師会」発行、に開示されている。
【非特許文献１】「心電図のＡＢＣ」、1992年9月20日、「日本医師会」発行
【発明の開示】
【発明が解決しようとする課題】
【０００４】
従来、用いられている心電図センサは、比較的厚みが厚く硬いので、被検体の胸部などにセンサユニットを装着した状態で、装着部位に物例えば球技の玉などがぶつかるとセンサユニットによる痛みを伴うことがあった。また、被検体が転倒したり、物にぶつかってセンサユニットが被検体の装着部位を急激に押し付けた場合もセンタユニットによる痛みを感じることがあった。
【０００５】
また、心電図センサによる検出を可能にするための導通をとるために、電極クリップにより被検体に密着される電極パッドの凸部を挟むといっためんどうな操作が必要だった。
【０００６】
本発明は、このような課題に着目してなされたものであり、その目的とするところは、センサユニットの取り扱いが容易であり、被検体に対して良好な装着感を感じさせることができる生体情報センサ及びそれを用いた生体情報モニタシステムを提供することにある。
【課題を解決するための手段】
【０００７】
上記の目的を達成するために、本発明の第１の態様は、生体情報センサユニットであって、被検体の生体情報を検出する生体情報センサが搭載された第１の面と、前記生体情報センサの電極が形成された第２の面とを有し、少なくとも一部が可撓性の基板を用いて構成される。
【０００８】
また、本発明の第２の態様は、第１の態様において、前記生体情報センサは、前記被検体の心電図を検出する心電図センサと、前記被検体の動きを検出する加速度センサと、前記被検体の体表面の温度を検出する温度センサのうち少なくとも１つであり、前記生体情報センサの電極は心電図電極である。
【０００９】
また、本発明の第３の態様は、第１または第２の態様において、前記基板は、前記生体情報センサの電極を除いて、可撓性を有する樹脂からなる保護膜で覆われている。
【００１０】
また、本発明の第４の態様は、生体情報モニタシステムであって、被検体に装着されたセンサユニットと、このセンサユニットと通信可能に接続され、前記センサユニットからのセンサデータに基づいて前記被検体の生体情報をモニタするセンタ装置と、を具備し、前記センサユニットは、少なくとも被検体の生体情報を検出する生体情報センサと、前記生体情報センサにより取得された生体情報を送信する送信部とが搭載された第１の面と、前記生体情報センサの電極が形成された第２の面とを有し、少なくとも一部が可撓性の基板を用いて構成され、前記センタ装置は、前記センサユニットから送信された生体情報を受信する受信部と、前記受信部を介して受信した生体情報に基づいて前記被検体の状態を判定する状態判定部と、を具備する。
【００１１】
また、本発明の第５の態様は、第４の態様において、前記センタ装置は、前記センサユニットの動作を制御するための制御信号を前記センサユニットに対して送信する送信部を有し、前記センサユニットを構成する基板の第１の面には、前記センタ装置からの制御信号を受信する受信部が搭載されている。
【００１２】
また、本発明の第６の態様は、生体情報モニタシステムであって、被検体の生体情報を検出する生体情報センサと、前記生体情報センサにより検出された生体情報を蓄積する生体情報蓄積部とが搭載された第１の面と、前記生体情報センサの電極が形成された第２の面とを有し、少なくとも一部が可撓性の基板を用いて構成されたセンサユニットと、前記生体情報蓄積部から前記生体情報を読み出す読み出し部と、前記読み出し部により読み出された前記生体情報に基づいて前記被検体の状況を判定する状況判定部と、を具備し、前記センサユニットとは別個に設けられたセンタ装置と、からなる。
【００１３】
また、本発明の第７の態様は、第４から第６のいずれか１つの態様において、前記生体情報センサは、前記被検体の心電図を検出する心電図センサと、前記被検体の動きを検出する加速度センサと、前記被検体の体表面の温度を検出する温度センサのうち少なくとも１つであり、前記生体情報センサの電極は心電図電極である。
【００１４】
また、本発明の第８の態様は、第４から第７のいずれか１つの態様において、前記基板は、前記生体情報センサの電極を除いて、可撓性を有する樹脂からなる保護膜で覆われている。
【発明の効果】
【００１５】
本発明によれば、センサユニットの取り扱いが容易になり、被検体に対して良好な装着感を感じさせることができる生体情報センサユニット及びそれを用いた生体情報モニタシステムが提供される。
【００１６】
また、心電図電極は基板に一体的に形成されるので、センサ装着のための構成を簡略化することができる。
【発明を実施するための最良の形態】
【００１７】
以下、本発明の実施の形態について図面を参照して詳細に説明する。
【００１８】
（第１実施形態）
図１は、本発明の第１実施形態にかかる生体情報モニタシステムの概略構成を示す図である。生体情報センサユニット（以下ではセンサユニットと呼ぶ）２はモジュール化されており、監視対象としての被検体４の例えば胸部などの皮膚に直接装着される。センサユニット２には、生体情報センサとして、被検体の心電図を検出する心電図センサ、被検体の動きを検出する加速度センサ、被検体の体表面の温度を検出する温度センサなどが搭載される。
【００１９】
センサユニット２内部の生体情報センサにより検出された生体情報は無線ネットワーク３を介して、医療施設や介護施設などに設置されるセンタ装置１に送信される。
【００２０】
ここで、無線ネットワーク３としては、例えばBlueTooth（登録商標）等の近距離データ通信システムや、無線ＬＡＮ(Local  Area  Network)、ＰＨＳ(Personal  Handyphone  System)(登録商標)、携帯電話システム等が使用される。
【００２１】
なお、センタ装置１とセンサユニット２との間は必ずしも直接接続する必要はなく、無線中継器を介して接続するようにしてもよい。この場合、センサユニット２と無線中継器との問、無線中継器とセンタ装置１との間の無線通信方式としてはＢＴや無線ＬＡＮ等の微弱又は小電力型の方式が、一方、無線中継器とセンタ装置１との問の無線通信方式として携帯電話システム等の長距離通信が可能な方式がそれぞれ使用される。
【００２２】
センタ装置１は、アンテナ部１１と、信号分配部１２と、受信部１３と、送信部１４と、センサデータ収集処理部１５と、センサ制御部１６とから構成される。アンテナ部１１は、センサ制御部１６で生成された制御信号を送信する送信アンテナ機能と、センサユニット２からの生体情報を受信するアンテナ機能とを有し、この機能の切替はアンテナ部１１に接続されたサーキュレータ等の信号分配部１２により行われる。
【００２３】
受信部１３は、センサユニット２から無線ネットワーク３、アンテナ部１１を介して送信されたセンシング信号としての無線信号を受信したのち復調し、この復調により得られる生体情報をセンサデータ収集処理部１５へ出力する。送信部１４は、センサ制御部１６で生成された制御信号を変調したのち無線信号に変換し、この無線信号をアンテナ部１１からセンサユニット２に向けて送信する。
【００２４】
センサ制御部１６は、例えばＣＰＵ(Central  Processing  Unit)やＤＳＰ(Digital  Signal  Processor)を備えたもので、センサユニット２の動作を制御するための制御信号を生成する。該制御信号としては、心電図センサの場合には測定の開始、終了タイミングの指令が含まれ、加速度センサ、温度センサの場合には、測定の開始、終了タイミングに加え、測定周期の指令が含まれる。
【００２５】
センサデータ収集処理部１５は、センサユニット２からのセンシングデータに基づいて被検体４の状況を判定する部分であるが、詳細な機能については後述する。
【００２６】
図２は、本実施形態にかかるセンサユニット２の第１の構成を示す図である。センサユニット２は、ポリイミド樹脂で形成されたシート状の可撓性のある基板３００に配線電極膜を設けた後、その上に以下に述べるような素子を搭載したものである。
【００２７】
すなわち、基板３００表面（第１の面）の中央領域には、リチウムポリマ電池２５と、アンテナ部２１とが搭載され、その左側の領域には、センサ駆動制御部２３、心電図センサ２４１、制御部用発振器２３３が搭載されている。また、基板３００表面の右側の領域には、センサ信号送受信部２２と、送受信部用水晶発振機３０１とが搭載されている。また、基板３００の裏面（第２の面）には心電図電極６−１，６−２が形成されている。基板３００に各素子が搭載された後、基板３００全体は可撓性の樹脂からなる保護膜で覆われる。
【００２８】
センサユニット２を装着する場合には、基板３００裏面に設けられた導電性の接着テープにより被検体４に装着（貼付）するだけでよい。
【００２９】
このように本実施形態では、可撓性のシート状基板３００の表面に生体情報を検出するのに要する素子を一体的に搭載したので、全体的に厚みが薄くかつ可撓性を備えたセンサユニット２が提供される。これによって、センサユニット２の取り扱いが容易であり、被検体に対して良好な装着感を感じさせることができる。すなわち、被検体４の胸部などにセンサユニット２を装着することにより、装着部位に物例えば球技の玉などがぶつかっても可撓性があり、しなやかであるため、被検体４はセンサユニット２による痛みを伴わない。また、被検体４が転倒したり、物にぶつかってセンサユニット２が被検体４の装着部位を急激に押し付けても、被検体４はセンタユニット２による痛みを感じにくくなる。
【００３０】
また、心電図電極６−１，６−２は基板３００の裏面に一体的に形成されるので、従来の心電図センサのように、心電図センサによる検出を可能にするための導通をとるために、電極クリップにより被検体に密着される電極パッドの凸部を挟むといった構成を用いる必要がなくなり、センサ装着のための構成を簡略化することができる。
【００３１】
図３は、第２の構成として、心電図センサ２４１に加えて、基板３００に加速度センサ２４２と、温度センサ２４３を搭載したセンサユニット２のようすを示す図である。このように、本実施形態の方法によれば、心電図センサ２４１だけでなく、加速度センサ２４２や温度センサ２４３を含む他のセンサを搭載することができる。
【００３２】
なお、本実施形態ではセンサユニット２が全体に渡って可撓性を有する場合について説明したが、基板３００全体が十分な可撓性を備えていなくとも、センサユニット２を構成する基板３００の一部の厚みを他の部分よりも薄くし、基板３００をこの薄い部分に沿って折り曲げ可能とした構成であっても良い。
【００３３】
図４は、特にセンサユニット２の構成を詳細に示した生体情報モニタシステムの概略構成図である。センサユニット２は、アンテナ部２１と、センサ信号送受信部２２と、センサ駆動制御部２３と、センサ本体２４と、リチウムポリマ電池２５とを備えている。図５は、図４に示すセンサユニット２のセンサ本体２４とセンサ駆動制御部２３の構成を示し、図６は、図４に示すセンサユニット２のセンサ信号送受信部２２の構成を示している。
【００３４】
図５に示すように、センサ本体２４は、被検者４の心電図データを取得する心電図センサ２４１、被検者４の左右方向の動きを検出する加速度センサ２４２、及び被検者４の体表面の温度を検出する温度センサ２４３から構成される。勿論、どのようなセンサを備えるかは、被検体４のどのような状態を監視するかという監視目的により決定されるものであり、このような心電図センサ２４１、加速度センサ２４２、温度センサ２４３に限定されるものではない。
【００３５】
一方、センサ駆動制御部２３は、ＣＰＵ（中央制御部）２３１と、記憶部２３２と、制御部用水晶発振器２３３と、ＡＤ変換部２３４，２３５，２３６と、ＳＰＩ（サーバ・プログラミング・インターフェース）２３７とを備えている。
【００３６】
制御部用水晶発振器２３３は、ＣＰＵ２３１のクロック制御信号に基づいて所定周期のクロック信号を発生する。記憶部２３２は、ＣＰＵ２３１により実行されるプログラムを記憶している。ＣＰＵ２３１は、センサ本体２４の心電図センサ２４１、加速度センサ２４２及び温度センサ２４３を始めとして、図４のセンサ信号送受信部２２を駆動制御するもので、上述したセンタ装置１から送られてくるセンシング開始や終了、その他の指令の内容を図示せぬメモリに記憶する。
【００３７】
そして、以後この保存された指令と記憶部２３２に記憶された設定データに基づいてクロック制御信号を生成して制御部用水晶発振器２３３に出力する。このクロック制御信号に基づいて制御部用水晶発振器２３３より発生されるクロック信号により、駆動信号として、センシング開始や終了等に関する信号を生成する。
【００３８】
ＣＰＵ２３１は、心電図センサ２４１を駆動するための心電図センサ制御信号を当該心電図センサ２４１に出力する。心電図センサ制御信号は、心電図センサ２４１の計測の開始時刻、終了時刻などの指令の他に、図示しない可変帯域通過フィルタの帯域を決める帯域信号、図示しない可変利得増幅器の利得を決める利得信号、通常計測時におけるセンシング信号の取得と、基線波形計測時におけるセンシング信号の取得とを切り替えるための切り替え信号がある。
【００３９】
ＡＤ変換部２３４は、心電図センサ２４１からの検出データをデジタル信号に変換するもので、ＣＰＵ２３１よりＳＰＩ２３７を介してセンシング信号として出力する。
【００４０】
ＡＤ変換部２３５は、ＣＰＵ２３１からのスタンバイ信号により駆動される加速度センサ２４２の検出データである加速度データをデジタル信号に変換するもので、この変換された加速度データはＣＰＵ２３１よりＳＰＩ２３７を介してセンシング信号として出力される。同様に、ＡＤ変換部２３６は、温度センサ２４３の検出データである温度データをデジタル信号に変換するもので、この変換された温度データはＣＰＵ２３１よりＳＰＩ２３７を介してセンシング信号として出力される。なお、加速度センサ２４２は、ＣＰＵ２３１から当該センサ２４２に供給されるスタンバイ信号が“Ｈ”レベルになるとセンシングを行う動作状態となり、“Ｌ”レベルになると非動作状態、つまり電力消費量の少ないスタンバイ状態となる。その周期は、上述したようにセンタ装置１から送られてくる指令に基づくものである。また、例えば、被検者４が実際の運動を開始するまでの間、不必要な電力消費を抑制したり、センタ装置１での異常状態と判別することがないよう、加速度センサ２４２をスタンバイ状態にするよう、センタ装置１から指令する。
【００４１】
リチウムポリマ電池２５は、例えばボタン型リチウム電池からなるもので、この電池２５から発生するＤＣ電圧を、センサ本体２４、センサ駆動制御部２３、センサ信号送受信部２２に駆動電源として供給するようになっている。
【００４２】
また、センサ信号送受信部２２は、図６に示すように、送信部の構成として、ＳＰＩ２２０１と、デジタル信号制御部２２０２と、信号変調部２２０３と、混合部２２０４と、電力増幅部２２０５とを備えるとともに、受信部の構成として、低雑音増幅部２２０７と、混合部２２０８と、信号復調部２２０９と、デジタル信号制御部２２１０と、ＳＰＩ２２１１とを備えている。センサ信号送受信部２２はさらに、送受信部用水晶発振器３０１の出力を位相安定化回路２２１３を介して受けて所定の周波数信号を生成する電圧制御型発振器２２１４を備える。
【００４３】
即ち、このセンサ信号送受信部２２においては、上記センサ駆動制御部２３からのセンシング信号をＳＰＩ２２０１を介してデジタル信号制御部２２０２に取り込む。さらに信号変調部２２０３でデジタル変調、例えばＱＰＳＫ（Quadrature Phase Shift Keying）変調し、混合部２２０４で電圧制御型発振器２２１４の出力と混合することで所定のフォーマットに変換してセンシングデータを作成し、この作成されたセンシングデータを電力増幅部２２０５で電力増幅し、送受信信号分配部２２０６よりアンテナ部２１を介して、センタ装置１に向け送信させる。
【００４４】
また、このセンサ信号送受信部２２は、上記センタ装置１から送られた無線信号をアンテナ部２１で受信すると、それを送受信信号分配部２２０６、低雑音増幅部２２０７を介して混合部２２０８に取り込む。ここで無線信号を電圧制御形発振器２３６の出力と混合して所定周波数に変換した後、信号復調部２２０９でデジタル復調し、このデジタル復調により得られた制御信号をデジタル信号制御部２２１０よりＳＰＩ２２１１を介してセンサ駆動制御部２３に供給する。
【００４５】
図７は、センタ装置１において、特にセンサデータ収集処理部１５の構成を示す図であり、センシングデータ記憶部１５１と、心電図データ判定部１５２と、加速度センサデータ判定部１５３と、体表面温度判定部１５４と、被検体状況判定部１５５とを備える。
【００４６】
センタ装置１の受信部１３は、上述したように、センサユニット２から、アンテナ部１１を介して送信されたセンシング信号を受信したのち復調し、この復調により得られるセンシング信号をセンサデータ収集処理部１５へ出力する。このセンサデータ収集処理部１５では、そのセンシング信号をセンシングデータ記憶部１５１にいったん記憶する。
【００４７】
そして、心電図データ判定部１５２では、センシングデータ記憶部１５１に記憶されたセンシング信号の内、上記心電図センサ２４１で測定された心電図データに基づいて、心電図の異常を判定する。また、加速度センサデータ判定部１５３では、センシングデータ記憶部１５１に記憶されたセンシング信号の内、上記加速度センサ２４２で測定された加速度データに基づいて、被検者４の身体の動き（運動や転倒等）を判定する。更に、体表面温度判定部１５４では、センシングデータ記憶部１５１に記憶されたセンシング信号の内、上記温度センサ２４３で測定された温度データに基づいて、被検者４の体表面温度を判定する。被検者状況判定部１５５は、上記心電図データ判定部１５２により被検者４の心電図が異常であると判断されたときの当該被検者４の身体の動き及び体温の状態を上記加速度センサデータ判定部１５３及び体表面温度判定部１５４の出力により把握することで、被検者４の状況、例えば正常か異常かを判定することができる。
【００４８】
以上、上記した第１実施形態によれば、センサユニットの取り扱いが容易であり、被検体に対して良好な装着感を感じさせることができる生体情報センサ及びそれを用いた生体情報モニタシステムが提供される。
【００４９】
（第２実施形態）
第１実施形態では、センシング開始や終了及びセンシング周期はセンタ装置１からの指令により与えられたが、このような方法に限定されることはない。
【００５０】
図８は、センシング開始や終了及びセンシング周期に関する設定機能をセンサユニット２内のセンサ駆動制御部２３に設ける第２実施形態の構成を示している。この場合、センサ本体２４内のセンサは、センサ駆動制御部２３からの指令に従って、センシング動作を開始し、検出された加速度データはアンテナ部２１を介してセンタ装置１に送信される。このような構成によれば、センサユニット２内部のセンサ駆動信号受信部を省略することができる。さらに、センタ装置１内部の信号分配部１２、送信部１４、センサ制御部１６を省略することができる。
【００５１】
図９は、本発明の第２実施形態の変形例の構成である。図９に示すように、この変形例では、センサ本体２４、センサ駆動制御部２３、リチウムポリマ電池２５、センサ信号蓄積部２７が基板の表面に一体的に搭載される。
【００５２】
センサ駆動制御部２３からの指定に基づいてセンサにより検出された生体情報はセンサ信号蓄積部２７にいったん蓄積される。その後、生体情報は記録媒体等に格納されてセンタ装置１に届けられる。このような構成によれば、センサユニット２内部のセンサ信号送受信部２２を省略することができる。さらに、センタ装置１内部のアンテナ部１１、信号分配部１２、受信部１３、送信部１４、センサ制御部１６を省略することができる。
【００５３】
なお、センタ装置１及びセンサユニット２の構成、センシング対象物の種類等についても、この発明の要旨を逸脱しない範囲で種々変形して実施できる。要するに本発明は、上記各実施形態そのままに限定されるものではなく、実施段階ではその要旨を逸脱しない範囲で構成要素を変形して具体化できる。なお、本実施形態では、リチウムポリマ電池、ポリイミド樹脂で形成された基板を例に説明したが、これら以外の電池、可撓性を有する基板を用いてもよい。
【００５４】
さらに、上記実施の形態には、種々の段階の発明が含まれており、開示されている複数の構成要件における適宜な組み合わせにより種々の発明が抽出できる。例えば、実施の形態に示されている全構成要件から幾つかの構成要件が削除されても、発明が解決しようとする課題の欄で述べた課題を解決でき、発明の効果の欄で述べられている効果が得られる場合には、この構成要件が削除された構成が発明として抽出できる。
【図面の簡単な説明】
【００５５】
【図１】本発明の第１実施形態にかかる生体情報モニタシステムの概略構成を示す図である。
【図２】本実施形態にかかるセンサユニット２の第１の構成を示す図である。
【図３】本実施形態にかかるセンサユニット２の第２の構成を示す図である。
【図４】センサユニットの構成を詳細に示した生体情報モニタシステムの概略構成図である。
【図５】図４に示すセンサユニット２のセンサ本体２５とセンサ駆動制御部２４の構成を示す図である。
【図６】図４に示すセンサユニット２のセンサ信号送受信部２２の構成を示す図である。
【図７】センタ装置１において、特にセンサデータ収集処理部１５の構成を示す図である。
【図８】本発明の第２実施形態にかかるセンサユニット２の構成を示す図である。
【図９】本発明の第２実施形態の変形例にかかるセンサユニット２の構成を示す図である。
【符号の説明】
【００５６】
１  センタ装置
２  センサユニット
４  被検体
６−１（６−２）  心電図電極
１１  アンテナ部
１２  信号分配器
１３  受信部
１４  送信部    
１５  センサデータ収集処理部
１６  センサ制御部
２１  アンテナ部
２２  センサ信号送受信部
２３  センサ駆動制御部
２４  センサ本体
２５  リチウムポリマ電池
２４１  心電図センサ
２４２  加速度センサ
２４３  温度センサ
３００  可撓性基板
【図１】
2007167448.tif 000003
【図２】
2007167448.tif 000004
【図３】
2007167448.tif 000005
【図４】
2007167448.tif 000006
【図５】
2007167448.tif 000007
【図６】
2007167448.tif 000008
【図７】
2007167448.tif 000009
【図８】
2007167448.tif 000010
【図９】
2007167448.tif 000011